(57)【要約】【課題】電源のオン又はオフの制御が行われる設定時間を必要とせず、しかもたとえば太陽光による昼夜のゆっくりとした明るさのレベル変化では反応せず、たとえば人為的な行動に伴い明るさが急激に変化する場合等に合わせて機器本体の電源をオン又はオフさせるような制御が行われるようにする。【解決手段】検出手段としてのセンサー５による、周囲の明るさの検出結果に基づく所定時間ｔ（たとえば１秒）当たりの変化量（変化の傾き）が所定の変化閾値（たとえば５０％）を上回った場合、制御手段としての映像処理制御回路４により、機器本体の電源である電源回路７のオン又はオフの制御が行われるようにした。【選択図】図１
2008109274.tif 000002
【特許請求の範囲】
【請求項１】
周囲の明るさの変化に応じて機器本体の電源をオン又はオフさせる電源制御装置であって、
周囲の明るさを検出する検出手段と、
該検出手段による検出結果に基づく所定時間当たりの変化量が所定の変化閾値を上回った場合、前記電源のオン又はオフの制御を行う制御手段とを備える
ことを特徴とする電源制御装置。
【請求項２】
前記制御手段は、前記所定時間当たりの変化量が該所定時間分に満たない場合、前記電源のオン又はオフの制御を行わないことを特徴とする請求項１に記載の電源制御装置。
【請求項３】
周囲の明るさの変化に応じて機器本体の電源をオン又はオフさせる電源制御装置であって、
周囲の明るさを検出する検出手段と、
該検出手段による検出結果に基づく所定時間当たりの変化量が所定の変化閾値を上回った場合、前記電源をオンさせる直前までの準備処理を実行する制御手段とを備え、
前記制御手段は、前記準備処理を終えた後、前記電源のオンの指示を受けて前記電源をオンさせる
ことを特徴とする電源制御装置。
【請求項４】
前記制御手段は、前記所定時間当たりの変化量が該所定時間分に満たない場合、前記電源をオンさせる直前までの準備処理を実行しないことを特徴とする請求項３に記載の電源制御装置。
【請求項５】
請求項１〜４のいずれかの電源制御装置を備えることを特徴とするテレビジョン受像機。
【請求項６】
周囲の明るさの変化に応じて機器本体の電源をオン又はオフさせる電源制御方法であって、
周囲の明るさを検出するステップと、
該検出結果に基づく所定時間当たりの変化量が所定の変化閾値を上回った場合、前記電源のオン又はオフの制御を行うステップとを有する
ことを特徴とする電源制御方法。
【請求項７】
前記所定時間当たりの変化量が該所定時間分に満たない場合、前記電源のオン又はオフの制御を行わないことを特徴とする請求項６に記載の電源制御方法。
【請求項８】
周囲の明るさの変化に応じて機器本体の電源をオン又はオフさせる電源制御方法であって、
周囲の明るさを検出するステップと、
該検出結果に基づく所定時間当たりの変化量が所定の変化閾値を上回った場合、前記電源をオンさせる直前までの準備処理を実行するステップとを有し、
前記準備処理を終えた後、前記電源のオンの指示を受けて前記電源をオンさせる
ことを特徴とする電源制御方法。
【請求項９】
前記所定時間当たりの変化量が該所定時間分に満たない場合、前記電源をオンさせる直前までの準備処理を実行しないことを特徴とする請求項８に記載の電源制御方法。
【発明の詳細な説明】
【技術分野】
【０００１】
本発明は、周囲の明るさの所定時間当たりの変化量（変化の傾き）に応じて、たとえばテレビジョン受像機の電源をオン又はオフさせる電源制御装置、テレビジョン受像機及び電源制御方法に関する。
【背景技術】
【０００２】
たとえば、テレビジョン受像機では、通常、リモコン送信機の電源ボタンを操作し受像機本体の電源をオンさせることで、テレビジョン放送の視聴を行うことができる。また、希望の受信チャンネル（ＣＨ）は、リモコン送信機の選局ボタンで選択することができる。
【０００３】
このようなテレビジョン受像機には、リモコン送信機による遠隔操作に限らず、たとえば外光の変化に応じて受像機本体の電源を自動でオン／オフさせることができるようになっているものもある。
【０００４】
このようなテレビジョン受像機として、特許文献１では、電灯等の外光をセンサーが検出すると、コンパレータで基準電圧と比較され、ある明るさ以上でＨＩＧＨ（又はＬＯＷ）となる出力がマイコンに入力され、マイコンが主電源回路をオンするようにした技術を提案している。
【特許文献１】特開平０８−２１４２３３号公報
【発明の開示】
【発明が解決しようとする課題】
【０００５】
ところで、特許文献１に示されているテレビジョン受像機では、マイコンの主電源回路を自動でオンする機能を選択しておくことで、以降、電灯等の外光をセンサーが検出すると、マイコンにより主電源回路がオンされる。
【０００６】
その際、日中の明るさで不用意にオンしないようにマイコンの機能を設定し、さらにマイコンに電灯等の外光により動作させる夜間時間を設定することで、夜間に設定した時間だけテレビジョン受像機の電源が自動的にオンされるため、中長期の外出時であっても、如何にも在宅であると思わせることができ、ホームセキュリティーでの利用に有効である。
【０００７】
ところが、このような電源の制御方法では、上記のようなホームセキュリティー用には有効であるが、一方、この機能を通常使用した場合にはユーザーが自宅にいない場合でも太陽光による昼夜の明るさのレベル変化で反応し、又は予め設定した夜間時間になると必ずテレビジョン受像機の電源が自動的にオンされることになり、余計な消費電力を使うことになってしまい、用途によっては使用性が悪いという問題があり、人為的な行動による制御要素を加えることで、使い勝手のよい機能にもなることがある。
【０００８】
ちなみに、人為的な行動に伴い明るさが急激に変化する場合での制御として、たとえばユーザが帰宅時に室内灯を点灯させるか、又は朝にカーテン等を開けたタイミングでテレビジョン受像機の電源をオンさせるような制御、あるいは就寝時の室内灯の消灯に合わせてテレビジョン受像機の電源をオフさせるような制御が考えられる。
【０００９】
本発明は、このような状況に鑑みてなされたものであり、上記問題点を解決することができる電源制御装置、テレビジョン受像機及び電源制御方法を提供することを目的とする。
【課題を解決するための手段】
【００１０】
本発明の電源制御装置は、周囲の明るさの変化に応じて機器本体の電源をオン又はオフさせる電源制御装置であって、周囲の明るさを検出する検出手段と、該検出手段による検出結果に基づく所定時間当たりの変化量が所定の変化閾値を上回った場合、前記電源のオン又はオフの制御を行う制御手段とを備えることを特徴とする。
また、前記制御手段は、前記所定時間当たりの変化量が該所定時間分に満たない場合、前記電源のオン又はオフの制御を行わないようにすることができる。
本発明の電源制御装置は、周囲の明るさの変化に応じて機器本体の電源をオン又はオフさせる電源制御装置であって、周囲の明るさを検出する検出手段と、該検出手段による検出結果に基づく所定時間当たりの変化量が所定の変化閾値を上回った場合、前記電源をオンさせる直前までの準備処理を実行する制御手段とを備え、前記制御手段は、前記準備処理を終えた後、前記電源のオンの指示を受けて前記電源をオンさせることを特徴とする。
また、前記制御手段は、前記所定時間当たりの変化量が該所定時間分に満たない場合、前記電源をオンさせる直前までの準備処理を実行しないようにすることができる。
本発明のテレビジョン受像機は、請求項１〜４のいずれかの電源制御装置を備えることを特徴とする。
本発明の電源制御方法は、周囲の明るさの変化に応じて機器本体の電源をオン又はオフさせる電源制御方法であって、周囲の明るさを検出するステップと、該検出結果に基づく所定時間当たりの変化量が所定の変化閾値を上回った場合、前記電源のオン又はオフの制御を行うステップとを有することを特徴とする。
また、前記所定時間当たりの変化量が該所定時間分に満たない場合、前記電源のオン又はオフの制御を行わないようにすることができる。
本発明の電源制御方法は、周囲の明るさの変化に応じて機器本体の電源をオン又はオフさせる電源制御方法であって、周囲の明るさを検出するステップと、該検出結果に基づく所定時間当たりの変化量が所定の変化閾値を上回った場合、前記電源をオンさせる直前までの準備処理を実行するステップとを有し、前記準備処理を終えた後、前記電源のオンの指示を受けて前記電源をオンさせることを特徴とする。
また、前記所定時間当たりの変化量が該所定時間分に満たない場合、前記電源をオンさせる直前までの準備処理を実行しないようにすることができる。
本発明の電源制御装置、テレビジョン受像機及び電源制御方法では、周囲の明るさの検出結果に基づく所定時間当たりの変化量が所定の変化閾値を上回った場合、機器本体の電源のオン又はオフの制御が行われる。
【発明の効果】
【００１１】
本発明の電源制御装置、テレビジョン受像機及び電源制御方法によれば、周囲の明るさの検出結果に基づく所定時間当たりの変化量が所定の変化閾値を上回った場合、機器本体の電源のオン又はオフの制御が行われるので、電源のオン又はオフの制御が行われる設定時間を必要とせず、しかもたとえば太陽光による昼夜のゆっくりとした明るさのレベル変化では反応せず、たとえば人為的な行動に伴い明るさが急激に変化する場合等での機器本体の電源をオン又はオフさせるような制御を行うことができる。
【発明を実施するための最良の形態】
【００１２】
本実施形態では、検出手段による、周囲の明るさの検出結果に基づく所定時間当たりの変化量が所定の変化閾値を上回った場合、制御手段により、機器本体の電源のオン又はオフの制御が行われるようにし、電源のオン又はオフの制御が行われる設定時間を必要とせず、しかもたとえば太陽光による昼夜のゆっくりとした明るさのレベル変化では反応せず、たとえば人為的な行動に伴い明るさが急激に変化する場合等での機器本体の電源をオン又はオフさせるような制御が行われるようにした。
【００１３】
すなわち、たとえばユーザが帰宅時に室内灯を点灯させるか、又は朝にカーテン等を開けたタイミングでテレビジョン受像機の電源をオンさせるような制御、あるいは就寝時の室内灯の消灯に合わせてテレビジョン受像機の電源をオフさせるような制御が行われるようにした。
【実施例】
【００１４】
以下、本発明の実施例の詳細について説明する。
【００１５】
（実施例１）
図１は、本発明の電源制御装置をテレビジョン受像機に適用した場合の実施例１を説明するための図である。
【００１６】
図１に示すテレビジョン受像機１は、映像処理回路２、液晶表示パネル３、映像処理制御回路４、センサー５、リモコン受光器６、電源回路７を備えている。
【００１７】
映像処理回路２は、たとえばリモコン受光器６によって受信された図示しないリモコン送信機からの選局データに基づきデジタル放送信号の選局を行い、その選局したデジタル放送信号を復調し、ＭＰＥＧ２符号化方式等で符号化されている映像、音声、データが多重されたトランスポートストリームから映像データ、音声データ、電子番組表データ等の各種データを分離・抽出し、その分離・抽出した映像データ及び音声データに対しＭＰＥＧ２等の復号処理を行い、その復号処理したＡ／Ｖ信号を液晶表示パネル３に出力する。
【００１８】
液晶表示パネル３は、映像処理回路２によって復号処理されたＡ／Ｖ信号に基づき映像を表示する。
【００１９】
制御手段としての映像処理制御回路４は、センサー５による外光（周囲の明るさ）の検出結果の所定時間当たりの変化量（変化の傾き）に応じて、電源回路７を自動的にオン／オフしたり、たとえばリモコン受光器６によって受信された図示しないリモコン送信機からの選局データ等に基づき映像処理回路２による映像処理動作を制御したりする。なお、映像処理制御回路４による、センサー５による外光（周囲の明るさ）の検出結果の所定時間当たりの変化量（変化の傾き）に応じて、電源回路７を自動的にオン／オフする制御の詳細については後述する。
【００２０】
検出手段としてのセンサー５は、テレビジョン受像機１の周囲の外光を検出する。リモコン受光器６は、図示しないリモコン送信機からの選局データ等のリモコン信号を受け取る。電源回路７は、液晶表示パネル３等の駆動電源を供給する。
【００２１】
図２は、映像処理制御回路４による、センサー５による外光（周囲の明るさ）の検出結果の所定時間当たりの変化量（変化の傾き）に応じた電源回路７のオン／オフ制御を説明するための図である。まず、図２（ａ）は、センサー５による外光（周囲の明るさ）の検出結果の所定時間当たりの変化量（変化の傾き）が小さい場合を示しており、たとえば所定時間ｔ（たとえば１秒）においての変化量が４０％となっている。このような所定時間当たりの変化量（変化の傾き）が小さい場合の例として、たとえば太陽光による昼夜のゆっくりとした明るさのレベル変化が該当する。
【００２２】
また、図２（ｂ）は、同様に、たとえば所定時間ｔ（たとえば１秒）においての変化量が８０％となっている。また、図２（ｃ）は、同様に、たとえば所定時間ｔ（たとえば１秒）においての変化量が４０％となっている。ただし、図２（ｃ）は、部分的には図２（ｂ）と同程度の変化の傾きを示しているが、たとえば所定時間ｔ（たとえば１秒）においての変化量を満たしていないため、変化量が足りないと判断する場合を示している。
【００２３】
本実施例では、映像処理制御回路４による、センサー５による周囲の明るさの所定時間当たりの変化量（変化の傾き）に応じた電源回路７のオン／オフ制御を行うための変化閾値を、たとえば５０％とする。この場合、図２（ｂ）に示すように、たとえば所定時間ｔ（たとえば１秒）においての変化量が８０％となっているとき、映像処理制御回路４による、センサー５による周囲の明るさの所定時間当たりの変化量（変化の傾き）に応じた電源回路７のオン／オフ制御が行われるようになっている。
【００２４】
なお、電源回路７のオン／オフ制御を行うための変化閾値にあっては、５０％に限るものではなく、テレビジョン受像機１の使用状況に合わせて適宜設定されるようにすればよい。
【００２５】
ここで、センサー５による受光の変化量を測定した場合の例を、図３により説明する。まず、図３（ａ）は、所定時間ｔ（たとえば１秒）当たりの変化量が５０％以上となっている場合の測定結果の例である。
【００２６】
この場合には、所定時間ｔ（たとえば１秒）当たりの変化量が５０％以上となっているいるため、たとえば人為的な行動に伴い明るさが急激に変化したと判断し、明から暗への変化時は電源回路７のオフ制御が、暗から明への変化時は電源回路７のオン制御が行われることになる。
【００２７】
一方、図３（ｂ）は、例えば人物がセンサー５の近傍を横切った場合の変化量のパターンの例を示している。この場合、明るさが変化し始めてから所定時間ｔに達する前に元の明るさに戻っている。このような明るさの変化の仕方は、図２（ｃ）で説明したように、変化量が足りない場合を示している。この場合には、たとえば人為的な行動に伴わずに明るさが急激に変化したと判断し、電源回路７のオフ制御は行われない。図３（ｂ）においては、明から暗への一時的変化であるが、暗から明への同様な一時的変化の場合は、電源回路７のオン制御は行われないことになる。
【００２８】
次に、電源制御装置による電源制御方法について説明する。なお、以下においては、映像処理制御回路４による電源回路７の自動オン、自動オフ、自動オン／オフ解除のいずれかが選択可能であるものとする。また、自動オン又は自動オフが設定された場合、映像処理制御回路４による電源回路７の自動オン又は自動オフの制御は、センサー５による受光の所定時間ｔ（たとえば１秒）当たりの変化量（変化の傾き）が５０％以上であるときに行われるものとする。
【００２９】
まず、図４により、映像処理制御回路４による電源回路７の自動オフが設定されていて、センサー５による受光の変化量（変化の傾き）が５０％以上であるとき、映像処理制御回路４により電源回路７が自動的にオフされる場合について説明する。
【００３０】
映像処理制御回路４による電源回路７の自動オフが設定されているとき（ステップＳ１）、映像処理制御回路４によりセンサー５による受光結果から変化が有るかどうかが判断される（ステップＳ２）。
【００３１】
変化が有ると判断された場合、映像処理制御回路４により、ｔ＝１（秒）間での（前回値−今回値）から変化量（変化の傾き）が算出される（ステップＳ３）。ここで、前回値とは、変化前のセンサー５からの受光量を電圧値としたものである。今回値とは、変化後のセンサー５からの受光量を電圧値としたものである。
【００３２】
また、変化量（変化の傾き）が算出された後、今回値が前回値に更新される（ステップＳ４）。次いで、算出された変化量（変化の傾き）が変化閾値（５０％）より大きいかどうかが判断され（ステップＳ５）、大きいと判断した場合、映像処理制御回路４により電源回路７が自動でオフされる（ステップＳ６）。
【００３３】
すなわち、このような処理では、たとえば就寝時に室内の照明をオフすることに併せて、テレビジョン受像機１の電源を自動的にオフすることが可能となる。
【００３４】
次に、図５により、映像処理制御回路４による電源回路７の自動オンが設定されていて、センサー５による受光の変化量（変化の傾き）が５０％以上であるとき、映像処理制御回路４により電源回路７が自動的にオンされる場合について説明する。
【００３５】
映像処理制御回路４による電源回路７の自動オンが設定されているとき（ステップＳ７）、映像処理制御回路４によりセンサー５による受光結果から変化が有るかどうかが判断される（ステップＳ８）。
【００３６】
変化が有ると判断された場合、映像処理制御回路４により、ｔ＝１（秒）間での前回値−今回値から変化量（変化の傾き）が算出される（ステップＳ９）。ここで、上記同様に、前回値とは変化前のセンサー５からの受光量を電圧値としたものであり、今回値とは変化後のセンサー５からの受光量を電圧値としたものである。
【００３７】
また、変化量（変化の傾き）が算出された後、今回値が前回値に更新される（ステップＳ１０）。次いで、算出された変化量（変化の傾き）が変化閾値（５０％）より大きいかどうかが判断され（ステップＳ１１）、大きいと判断した場合、映像処理制御回路４により電源回路７が自動でオンされる（ステップＳ１２）。
【００３８】
すなわち、このような処理では、たとえば帰宅時に室内の照明をオンすることに併せて、テレビジョン受像機１の電源を自動的にオンすることが可能となる。また、朝にカーテンを開けて室内を明るくすることに併せて、テレビジョン受像機１の電源を自動的にオンすることが可能となる。
【００３９】
このように、実施例１では、検出手段としてのセンサー５による、周囲の明るさの検出結果に基づく所定時間ｔ（たとえば１秒）当たりの変化量（変化の傾き）が所定の変化閾値（たとえば５０％）を上回った場合、制御手段としての映像処理制御回路４により、機器本体の電源である電源回路７のオン又はオフの制御が行われるようにし、電源回路７のオン又はオフの制御が行われる設定時間を必要とせず、しかもたとえば太陽光による昼夜のゆっくりとした明るさのレベル変化では反応せず、たとえば人為的な行動に伴い明るさが急激に変化する場合等に合わせて機器本体の電源をオン又はオフさせるような制御が行われるようにした。
【００４０】
これにより、たとえばユーザが帰宅時に室内灯を点灯させるか、又は朝にカーテン等を開けたタイミングでテレビジョン受像機１の電源をオンさせるような制御、あるいは就寝時の室内灯の消灯に合わせてテレビジョン受像機１の電源をオフさせるような制御を行うことができる。
【００４１】
この場合、テレビジョン受像機１の液晶表示パネル３に電源オン時に表示される表示ソースを、ＳＴＩＬＬ画や環境映像等に変更しておくことにより、テレビジョン受像機１を壁紙のようなイメージで使用することも可能である。
【００４２】
（実施例２）
図６〜図８は、実施例１での電源制御装置による電源制御方法を変えた場合の実施例２を説明するためのフローチャートである。
【００４３】
まず、図６に示すように、テレビジョン受像機１の電源である電源回路７がオフ中であるとき（ステップＳ２０）、映像処理制御回路４によりセンサー５による受光結果から変化が有るかどうかがｔ＝１（秒）毎に判断される（ステップＳ２１）。
【００４４】
変化が有ると判断された場合、映像処理制御回路４により、ｔ＝１（秒）間での（前回値−今回値）から変化量（変化の傾き）が算出される（ステップＳ２２）。ここで、上記同様に、前回値とは変化前のセンサー５からの受光量を電圧値としたものであり、今回値とは変化後のセンサー５からの受光量を電圧値としたものである。
【００４５】
また、変化量（変化の傾き）が算出された後、今回値が前回値に更新される（ステップＳ２３）。次いで、算出された変化量（変化の傾き）が変化閾値（５０％）より大きいかどうかが判断され（ステップＳ２４）、大きいと判断した場合、映像処理制御回路４により電源オン準備要求が発行される（ステップＳ２５）。
【００４６】
すなわち、ここでの電源オン準備要求とは、電源回路７がオンされる直前までの準備処理を要求することであり、たとえばマイコンＩＮＩＴＩＡＬＩＺＥ処理等を実行させる要求である。この場合、バックライト点灯や映像Ｍｕｔｅ及び音声Ｍｕｔｅ解除処理等は行われないようになっている。
【００４７】
次に、電源オン準備要求が発行された場合の処理について説明する。まず、図７に示すように、電源オン準備要求が発行されると（ステップＳ２６）、マイコンＩＮＩＴＩＡＬＩＺＥ処理等の電源オン準備処理が実行される（ステップＳ２７）。次いで、電源オン準備処理が実行されると、電源オン準備完了が発行される（ステップＳ２８）。
【００４８】
次に、電源オン準備完了が発行された場合の処理について説明する。まず、図８に示すように、テレビジョン受像機１の電源である電源回路７がオフ中であるとき（ステップＳ２９）、リモコン受光器６により、たとえば図示しないリモコン送信機からの電源キーのリモコン信号が受け取られたとする（ステップＳ３０）。
【００４９】
このとき、電源オン準備完了が発行されているため（ステップＳ３１）、映像処理制御回路４により電源回路７がオンされる（ステップＳ３２）。この場合、電源オン準備完了となっているため、バックライト点灯や映像Ｍｕｔｅ及び音声Ｍｕｔｅの解除処理が行われ、直ちに液晶表示パネル３に映像が表示される。
【００５０】
このように、実施例２では、検出手段としてのセンサー５による、周囲の明るさの検出結果に基づく所定時間ｔ（たとえば１秒）当たりの変化量（傾き）が所定の変化閾値（たとえば５０％）を上回った場合、制御手段としての映像処理制御回路４により、電源をオンさせる直前までの準備処理を実行し、たとえば図示しないリモコン送信機からの電源キーのリモコン信号が受け取られると、バックライト点灯や映像Ｍｕｔｅ及び音声Ｍｕｔｅの解除処理が行われ、直ちに液晶表示パネル３に映像が表示されるようにした。
【００５１】
これにより、通常、テレビジョン受像機１の電源がオンされてから液晶表示パネル３に映像が表示されるまでに行われるマイコンＩＮＩＴＩＡＬＩＺＥ処理等による待ち時間を省くことができ、不快感無くテレビジョン放送の視聴を行うことができる。
【産業上の利用可能性】
【００５２】
テレビジョン受像機に限らず、映像が表示されるものであればよく、テレビチューナが搭載されたＰＤＡ、ノートパソコン、モバイル向けテレビ等のシステム機器にも適用可能である。
【図面の簡単な説明】
【００５３】
【図１】本発明の電源制御装置をテレビジョン受像機に適用した場合の実施例１を説明するための図である。
【図２】図１の映像処理制御回路による、センサーによる外光（周囲の明るさ）の検出結果の所定時間当たりの変化量（変化の傾き）に応じた電源回路のオン／オフ制御を説明するための図である。
【図３】図１のセンサーによる受光の変化量（変化の傾き）を測定した場合の例を示す図である。
【図４】図１の電源制御装置による電源制御方法について説明するためのフローチャートである。
【図５】図１の電源制御装置による電源制御方法について説明するためのフローチャートである。
【図６】図１での電源制御装置による電源制御方法を変えた場合の実施例２を説明するためのフローチャートである。
【図７】図６での電源オン準備要求が発行された場合の処理について説明するためのフローチャートである。
【図８】図７での電源オン準備完了が発行された場合の処理について説明するためのフローチャートである。
【符号の説明】
【００５４】
１  テレビジョン受像機
２  映像処理回路
３  液晶表示パネル
４  映像処理制御回路（制御手段）
５  センサー（検出手段）
６  リモコン受光器
７  電源回路
【図１】
2008109274.tif 000003
【図２】
2008109274.tif 000004
【図３】
2008109274.tif 000005
【図４】
2008109274.tif 000006
【図５】
2008109274.tif 000007
【図６】
2008109274.tif 000008
【図７】
2008109274.tif 000009
【図８】
2008109274.tif 000010